(57)【要約】      （修正有）【課題】書籍の表紙を覆う書籍カバーにおいて、購入者によりカバーが裏返されることを利用して情報の開示を可能にする。【解決手段】書籍２の表紙３を覆う書籍カバー１であってカバー１の表面１ｃには書誌を示す所定の印刷が施され、カバー１の裏面１ｂには書誌と直接関連のない任意の印刷が施されている書籍カバーを書籍２に装着する。カバー１の表裏を選択的に切り替えて、一方では、書籍の紹介等を、他方では、これと直接関連のない情報を開示をする。【選択図】図１
2013103365.tif 000002
【特許請求の範囲】
【請求項１】
書籍の表紙を覆うカバーであって、カバーの表面には書誌を示す所定の印刷が施され、カバーの裏面には書誌と直接関連のない任意の印刷が施されてなることを特徴とする書籍カバー。
【請求項２】
請求項１又は２記載の書籍カバーを表紙に装着したことを特徴とする書籍。
【請求項３】
表紙がカバーにより覆われた書籍を用いて情報を伝達する方法であって、カバーの表面には書誌を示す所定の印刷を施し、カバーの裏面には書誌と直接関連のない任意の印刷を施して、カバーの表、裏の切り替えにより周囲に伝達する情報を切り替えるようしたことを特徴する情報の伝達方法。
【発明の詳細な説明】
【技術分野】
【０００１】
本発明は書籍の表紙を覆う書籍カバーと、該カバーにより覆われた書籍と、該カバーを用いての情報伝達方法とに関するものであり、特に、表・裏両面に印刷が施された書籍カバー等に関するものである。
【背景技術】
【０００２】
我が国において、書籍には、一般に書籍カバーが装着されている。書籍カバーは、書籍の表紙を覆って汚れや痛みから保護するものであり、紙製のものが多い。
書籍カバーの表面には、通常、書籍の宣伝や内容を紹介するための書誌や概要が印刷されており、書誌や概要は簡潔で分かりやい表現が用いられる。このように、書籍カバーは、書籍の表紙を覆って実質的な表紙となることから、書籍の表紙の印刷と同じとしたり、あるいは当該表紙の印刷を基調とした印刷が施されており、書籍購入者は、書籍カバーの表面に印刷された書誌から内容を理解することができる。
上記のような書籍カバーを装着した書籍は、書店における販売時、カバー表面の印刷が重要であることから、その裏面には、何ら印刷が施されていないのが一般的である。
【０００３】
先行技術として、特許文献１に、書籍（ブック）カバーの短辺を延設し、該延設部を、書籍の表紙または裏表紙に折り返す際に、該書籍の表紙または裏表紙を挿入することができる挿入部とすると共に、該挿入部の一部を切欠いて書籍の中身に織り込んで使用する栞部とする一方で、ブックカバーの長辺を延設し、該延設部を書籍側とは反対側に折り返して帯部とするものが記載されている。
【先行技術文献】
【特許文献】
【０００４】
【特許文献１】特開２００４−２９９３６４号公報
【発明の概要】
【発明が解決しようとする課題】
【０００５】
上述したように、書籍カバー表面の書誌は簡潔で分かりやすいので、販売上の訴求力、宣伝力は向上する。一方において、周囲に理解されやすことは、購入した書籍を持ち歩くうちに、書籍の種類や内容を帯行者の周囲に告知する結果となる。
これを嫌う帯行者は、従来から、書籍に予め装着されているカバー上に更に該カバーとは別のカバーを装着したり、あるいは書籍に予め装着されているカバーを裏返して装着する等の行為を行っている。
このような行為は、書籍保護の目的は維持されるものの、カバーによる書籍内容の紹介や宣伝等の意義は没却される。
【０００６】
もちろん、特許文献１に記載の煩雑な構成を有するブックカバーにおいても、上記と同様のことが言えるのみならず、このブックカバーでは、裏返して装着したり、あるいは別のカバーを装着すれば、該ブックカバーが本来有している機能が全く使用されない結果となる。
【０００７】
以上のような実情を考慮すれば、裏返しにも対応ができるブックカバー（書籍カバー）の出現が要求される。
本発明は、上記の要求に応じるためになされたものであり、その目的は、書籍購入者によりカバーが裏返されることを利用して情報の伝達を可能にすることができる書籍カバーと、該カバーを使用した書籍と、情報伝達（宣伝）方法とを提供することにある。
【課題を解決するための手段】
【０００８】
本発明の書籍カバーは、書籍の表紙を覆うカバーであって、カバーの表面には書誌を示す所定の印刷が施され、カバーの裏面には書誌と直接関連のない任意の印刷が施されてなることを特徴とする。
本発明において、「書籍」には、本などいわゆる書籍の他に、各種の手帳や日記・日誌、ノート、あるいは雑誌、ムック、折本等をも含まれる。また、本発明において、「書籍の表紙」とは、表表紙、背表紙。裏表紙を含むことは言うまでもない。更に、「書誌を示す所定の印刷」とは、例えば、書籍のタイトル、著者、概要（書籍の内容≪以下、ページと記すこともある≫から抜粋して編集したもの、あるいはそのまま抜き出したもの等）等の印刷をいう。そして、「書誌と直接関連のない任意の印刷」は、該印刷内容から書誌を、直接、イメージできない事項の印刷が含まれるものとする。例えば、書籍とは無関係な広告等であってよい。
このように、本発明の書籍カバーによれば、カバーの表裏を選択的に切り替えて、一方では、当該書籍の販売や紹介上の情報（宣伝）を伝達し、他方では、これと直接関連のない情報（宣伝）を伝達したり、その他適宜の使用をすることが可能になる。
【０００９】
また、本発明の書籍は、上記した書籍カバーを表紙に装着したことを特徴とする。
このように、本発明の書籍は、表紙が本発明の書籍カバーによって覆われて汚れや損傷から保護されると共に、書籍カバーの裏返し（表裏の切り替え）により書誌とは直接関連のない裏面の印刷が周囲に情報として提供される。このような状態の（カバーを裏返して再び書籍に装着した状態の）書籍を持ち歩く者は、書籍と直接関連のない情報を、その移動範囲内において周囲に伝達する。
【００１０】
本発明の情報の伝達方法は、表紙がカバーにより覆われた書籍を用いて情報を伝達する方法であって、カバーの表面には書誌を示す所定の印刷を施し、カバーの裏面には書誌と直接関連のない任意の印刷を施して、カバーの表、裏の切り替えにより周囲に伝達する情報を切り替えるようしたことを特徴とする。
この方法によれば、２種類の情報の伝達、例えば書籍の宣伝と、書籍に直接関連のない宣伝とがなされる。
【発明の効果】
【００１１】
本発明の書籍カバーによれば、カバーの表面の印刷と裏面の印刷とを選択的に切り替えて、一方では、該カバーを装着する書籍の宣伝を、他方では、これと直接関連のない情報の伝達（例えば、種々の宣伝）をすることが可能になる。
また、本発明の書籍カバーを装着した書籍によれば、表裏を切り替えた書籍カバーを装着した書籍を持ち歩く者によって、書籍と直接関連のない情報をその移動範囲内で周囲に伝達（宣伝）することができる。
更に、本発明の情報伝達方法は、書籍カバーの裏返し（表裏の切り替え）と、当該書籍帯行者の移動範囲とを利用して、該カバーの表裏両面に印刷した各種の情報の伝達を、広範囲に渡って行うことができる。
【図面の簡単な説明】
【００１２】
【図１】本発明の一実施の形態による書籍を説明するための図である。
【図２】本発明の一実施形態による書籍カバーの表面を示す平面図である。
【図３】本発明の一実施形態による書籍カバーの裏面を示す平面図である。
【図４】本発明の他の実施形態による書籍カバーの裏面を示す平面図である。
【図５】本発明の更に他の実施形態による書籍カバーの裏面を示す平面図である。
【発明を実施するための形態】
【００１３】
図１に示すように、本発明の書籍カバーが装着された書籍２は、表紙３と中身（ページ）４とから構成され、表紙３が、表表紙３ａと、背表紙３ｂと、裏表紙３ｃとから構成される。背表紙３ｂは、表表紙３ａと裏表紙３ｃとの間に位置してこれらに連接される。ページ４は、基端部が背表紙３ｂに接着剤により固定され、背表紙３ｂ側と反対側において、ページめくりが可能となっている。
書籍カバー１は、表紙３と重なる長方形であり、紙、不織布、織布、編布、天然皮革、合成皮革、プラスチックシート等により構成することができる。本実施形態では、長方形の紙で構成されている。
書籍カバー１の両短辺側には、ページ４の天地方向に沿って延びる折り込み部１ａ，１ａが連接されており、図１に示すように、書籍カバー１の一方の折り込み部１ａが、表表紙３ａとページ４の扉（あるいは遊び）４ａとの間に挿入され、他方の折り込み部１ａが裏表紙３ｃとページ４の裏扉（あるいは遊び）４ａとの間に挿入される。この状態で書籍２を閉じると、表表紙３ａ、裏表紙３ｃのそれぞれとページ４の扉、裏扉（あるいは遊び）４ａ、４ａのそれぞれとに折り込み部１ａ，１ａがそれぞれ挟持される。
書籍カバー１が書籍２の表紙３に装着された状態では、書籍カバー１が書籍２の表紙３の表面を覆うため、表紙３は汚れや損傷から保護される。
【００１４】
書籍カバー１の表面１ｃには、図２に示すように、書誌を示す所定の印刷が施され、裏面１ｂには、図３に示すように、書誌と直接関連のない任意の印刷、例えば広告７が施される。なお、これらは、自由にレイアウトされる。
書誌は、書籍２のための情報であり、具体的には、書籍のタイトル６ａ、著者６ｂ、出版社６ｃ、価格６ｄ、バーコード６ｅ、ＩＳＢＮ６ｆ、レーティング６ｇ、概要６ｈ等から構成されている。ここで、ＩＳＢＮ（Ｉｎｔｅｒｎａｔｉｏｎａｌ  Ｓｔａｎｄａｒｄ  Ｂｏｏｋ  Ｎｕｍｂｅｒ）６ｆは、世界共通で図書（書籍）を特定するための番号（国際標準図書番号）、概要６ｈは、書籍２の内容に基づいて編集した要約、あるいは書籍２のページ４から抜粋した一部（コピー）である。
書誌は簡潔かつ明瞭に編集されており、販売の上では書籍紹介、書籍宣伝の機能を持っているので、購入者は、複数の書籍の中から気に入ったもの短時間で選ぶことができる。
【００１５】
広告７は、書籍カバー１の裏面１ｂに印刷される。この広告７の内容は、書誌２と直接関連のない内容とされ、例えば、飲食店や遊戯施設の開店や閉店、セール等に関するものである。なお、広告主と書店又は出版社６ｃと結ぶ契約は相互に自由であるが、予め広告主が広告料金を書店又は出版社６ｃに支払い、書店又は出版社６ｃは広告料金に基づいて書籍２の価格を割引くような契約をしておくこともできる。これにより、書籍２を安価に提供できるので、出版社及び書店の売り上げに関する訴求力を増大させることができる。
【００１６】
次に、このような書籍２を持ち歩くときの情報伝達の様子について説明する。この例では、書籍２を抱えて持ち歩くものとする。購入者は書籍２の持ち歩きに際し、購入した書籍２の書誌を表に出してよいかどうかを考える。書誌を表に出したくない場合の例としては、自己の趣味、趣向、行動が書誌から判断され、周囲に知られてしまうのを嫌う場合が挙げられる。
本実施形態では、書籍カバー１を裏返しにすると、カバー１の裏面が表となり、書誌が隠れ、代わりに裏面の広告７とその他の情報１５が表に出る。
購入者が、広告７、その他の情報１５を露出する時間は、所定の場所を往復する間であり、露出の範囲も所定場所までの範囲である。また、購入者が、書籍２を持ち歩く範囲は、歩行、電車、バス等の交通機関内も含まれることになり、多くの人が書籍２を持ち歩くことを想定すると、その範囲は膨大である。これらの人の大多数が、カバー１を裏返して書籍２を持ち歩くとすれば、広告７、その他情報の露出時間、露出範囲は膨大となり、相当の宣伝効果が期待できる。
例えば、広告７の宣伝内容が飲食店の開店やその他の業務に関するときは、その内容が周囲に宣伝内容として広められ、書店や出版社６ｃ、広告主の利益が増加する。
【００１７】
このように、本実施形態にかかる書籍２は、カバー１が表のときは、書誌事項６ａ〜６ｄ，６ｈが露出されて書籍２が紹介され、カバー１が裏面のときは、書籍２と直接関連のない広告７、その他の情報１５が露出されて、これらに記載された事項が紹介される。
従って、従来のカバーのように、裏返された場合のカバーによる宣伝や各種情報の伝達と言った意義が没却されることがないばかりか、書籍カバー１の裏面に印刷した広告７や他の情報の露出による宣伝や情報提供サービス力が生じ、これらに対応した利益を得ることもできる。
【００１８】
また、本発明の書籍カバー１の他の実施形態を示す図４のように、カバー１の上部に広告７を配置し、下方に購入者が自由に描けるスペース１６を設けてもよいし、アンケート用紙用の鉛筆を保持するリング状の保持部１７を設け、ポケット１８内にアンケート（書籍２に関するアンケート、広告７に関するアンケート、その他種々のアンケート）用紙１９を付属してもよい。
アンケート用紙に代えて、例えば赤色の文字を消す学習用の透明な赤いシート１９を付属する等してもよい。
なお、ポケット１８は、書籍購入者が独自に保有している各種カード入れとしたり、ポストイット（３Ｍ社の登録商標）入れ等として使用することもできる。
さらに、上記の自由に描けるスペース１６に、消しゴムを使用することなく、描いた文字や絵を簡単に消去できるシートを配置してもよい。
また、図５に示すように、切り取り線や切り込みを介して切り離し断可能な部位２０を設け、該部位２０を割引券等として使用するようにしてもよい。
【符号の説明】
【００１９】
１      書籍カバー
１ａ    折り込み部
１ｂ    裏面
１ｃ    表面
２      書籍
３      表紙
３ａ    表表紙
３ｂ    背表紙
３ｃ    裏表紙
４      ページ
【図１】
2013103365.tif 000003
【図２】
2013103365.tif 000004
【図３】
2013103365.tif 000005
【図４】
2013103365.tif 000006
【図５】
2013103365.tif 000007